(57)【特許請求の範囲】
【請求項１】
複数の表示部を有する表示手段と、
複数種の身体ポーズに関するポーズデータを記憶したポーズデータ記憶手段と、
前記身体ポーズ毎に呼吸のタイミングデータを記憶した呼吸タイミングデータ記憶手段と、
前記ポーズデータに基づく身体ポーズを表示部に表示させるとともに、前記タイミングデータに基づく当該身体ポーズに対応する呼吸のタイミングを報知する報知手段と、を備え、
前記報知手段は、複数の表示部のうち身体ポーズを表示した表示部とは異なる表示部に所定画像を表示させるとともに、当該所定画像のサイズを前記タイミングデータに基づいて大小変化させることにより報知し、
前記ポーズデータに基づく身体ポーズの表示は、インストラクター画像の表示によって行い、
前記所定画像のサイズの大小変化は、前記インストラクター画像の吐く動作に同期させて「吐く」の文字を含む呼吸模式画像を順次小さく変化させ、前記インストラクター画像の吸う動作に同期させて「吸う」の文字を含む呼吸模式画像を順次大きく変化させるようにして行うものであり、
呼吸模式画像は、吸うタイミングとなると「吐く」の文字が「吸う」に変化し、吐くタイミングとなると「吸う」の文字が「吐く」に変化するものである
ことを特徴とする運動教習システム。
【発明の詳細な説明】
【技術分野】
【０００１】
本発明は、ヨガやストレッチ体操等のレッスンに用いられる運動教習システムに関する。
【背景技術】
【０００２】
従来より、例えばヨガのレッスン用画像及び音声を記録したＤＶＤが市販されている（例えば、非特許文献１参照）。したがって、このＤＶＤを入手し、テレビ受像機を利用して再生することにより、ヨガスクール等の一定の場所に赴いてインストラクターによる指導を受けずとも、家庭等において独学でヨガを練習し、修得することが可能となる。
【非特許文献１】ＤＶＤ「ヨガ・ベーシックス 初級編 」コロムビアミュージックエンタテインメント（株）２００５年３月２５日発売
【発明の概要】
【発明が解決しようとする課題】
【０００３】
ヨガは呼吸のリズムと深い関連があり、正しい呼吸とともに実施しないとヨガによる精神的、身体的効果が低減してしまう。しかし、テレビ画面に表示されるインストラクターの映像からは、呼吸のタイミングをユーザが認識することが困難であり、正しい呼吸を伴うレッスンを行うことが難しい。
【０００４】
さらに、ヨガのポーズは複雑なものが多く、特に初級者にとってはインストラクターの動きの速さに付いていくことや、指定されたポーズを取ることが困難な場合が生ずる。このため、自己の精神や身体を鍛錬すべく目的をもってヨガレッスンを開始したのにも拘わらず、多くの場合途中で挫折してしまう。
【０００５】
以上の課題は、ヨガのみならずストレッチ等の身体によるポーズを伴う他の運動にも共通する。
【０００６】
本発明は、かかる従来の課題に鑑みてなされたものであり、スムーズにかつ正しい呼吸を伴うレッスンを可能にするとともに、挫折を抑制して継続的なレッスンを可能にするための教習システム、教習装置、プログラム記録媒体及び教習プログラムを提供することを目的とする。
【課題を解決するための手段】
【０００７】
前記課題を解決するために請求項１記載の発明に係る運動教習システムにあっては、  表示手段と、複数種の身体ポーズに関するポーズデータを記憶したポーズデータ記憶手段と、前記身体ポーズ毎に呼吸のタイミングデータを記憶した呼吸タイミングデータ記憶手段と、前記ポーズデータに基づく身体ポーズを前記表示手段に表示させるとともに、前記タイミングデータに基づく当該身体ポーズに対応する呼吸のタイミングを報知する報知手段と、を備え、前記報知手段は、前記表示手段に所定画像を表示させるとともに、当該所定画像のサイズを前記タイミングデータに基づいて大小変化させることにより報知する、ことを特徴とする。したがって、身体ポーズの表示とともに呼吸のタイミングが報知されることから、レッスン中における呼吸のタイミングをユーザがスムーズに認識することができる。さらに、複数種の身体ポーズに関するポーズデータを記憶しているので、ある身体ポーズが表示されている状態における所定の操作に応じて、当該身体ポーズよりも難易度の低い簡易的な身体ポーズを表示できることから、教習者が途中で挫折させてしまうことない。
【０００８】
また、請求項１記載の発明に係る運動教習システムにあっては、前記ポーズデータに基づく身体ポーズの表示は、インストラクター画像の表示によって行い、前記所定画像のサイズの大小変化は、前記インストラクター画像の吐く動作に同期させて順次小さく変化させ、前記インストラクター画像の吸う動作に同期させて順次大きく変化させるようにして行う、ことを特徴とする。したがって、ユーザは呼吸のタイミングを更に一層スムーズに認識することができる。また、本発明に係る運動教習システムにあっては、前記所定画像のサイズの大小変化は、前記インストラクター画像の吐く動作に同期させて「吐く」の文字を含む呼吸模式画像を、順次小さく変化させ、前記インストラクター画像の吸う動作に同期させて「吸う」の文字を含む呼吸模式画像を、順次大きく変化させるようにして行う、ことを特徴とする。
【０００９】
上記本発明は、次のようなバリエーションも可能である。例えば、教習システムにあっては、身体のポーズを伴う運動を教習する教習システムであって、再生装置とこの再生装置に装着される記録媒体とから構成され、前記再生装置は携帯型であって、表示手段と報知手段、及びこれら各手段を制御するコンピュータを有し、前記記録媒体は、前記再生装置が有する前記コンピュータが読み取り可能であって、前記表示手段に、複数種の身体ポーズである基本ポーズを表示可能な基本ポーズデータを記憶した基本ポーズデータ記憶手段と、前記各基本ポーズに対応して、これよりも難易度の低い簡易的なポーズである簡易ポーズを表示可能な簡易ポーズデータを記憶した簡易ポーズデータ記憶手段と、前記基本ポーズ及び簡易ポーズ毎に、呼吸のタイミングを前記報知手段により報知可能なタイミングデータを記憶した呼吸タイミングデータ記憶手段とを有するとともに、前記コンピュータに、前記基本ポーズデータに基づく基本ポーズを前記表示手段に表示させるとともに、前記呼吸タイミングデータに基づく当該基本ポーズに対応する呼吸タイミングを前記報知手段により報知させる第１の教習処理と、この第１の教習処理により前記表示手段に前記基本ポーズが表示されている状態において、所定の操作の有無を検出する検出処理と、この検出処理により前記所定の操作が検出された場合において、前記簡易ポーズデータ記憶手段から前記表示手段に表示されている基本ポーズに対応する簡易ポーズの簡易ポーズデータを読み出すとともに、前記呼吸タイミングデータ記憶手段から前記読み出した簡易ポーズデータに対応する呼吸タイミングデータを読み出す読み出し処理と、この読み出し処理により読み出された前記簡易ポーズデータに基づく簡易ポーズを前記表示手段に表示させるとともに、前記呼吸タイミングデータに基づく当該簡易ポーズに対応する呼吸タイミングを前記報知手段により報知させる第２の教習処理と、を実行させるプログラムを記録してなることを特徴とする、ようにしてもよい。
【００１０】
ヨガは身体を捻ったり折り曲げたりしながら、種々のポーズを取っていく運動である。したがって、テレビ画面に映像を表示させてレッスンする場合、ポーズの種類によってはテレビ画面と異なる方向に顔を向けなければならず、テレビ画面でポーズの確認を行いたい時は、一旦レッスン中のポーズを崩して画面を確認する必要があり、スムーズにレッスンを行うことができない。これに対して上記バリエーションの教習システムによると、再生装置を手に持って表示手段を見ながらレッスンを行うことができることから、レッスン中のポーズを崩して表示手段を確認する必要がなく、スムーズにレッスンを行うことができる。また、呼吸タイミングが報知されることから、レッスン中における呼吸のタイミングをユーザが認識することができる。さらに、基本ポーズが表示されている状態における所定の操作に応じて、基本ポーズよりも難易度の低い簡易的なポーズである簡易ポーズが表示されることから、教習者が途中で挫折させてしまうことない。
【発明の効果】
【００１１】
本発明によれば、身体ポーズの表示とともに呼吸のタイミングが報知されることから、レッスン中における呼吸のタイミングをユーザがスムーズに認識することができる。さらに、複数種の身体ポーズに関するポーズデータを記憶しているので、ある身体ポーズが表示されている状態における所定の操作に応じて、当該身体ポーズよりも難易度の低い簡易的な身体ポーズを表示できることから、教習者が途中で挫折させてしまうことない。
【図面の簡単な説明】
【００１２】
【図１】本発明の一実施の形態に係る教習装置の構成例を示すブロック図である。
【図２】カウンセリングデータテーブルを示す模式図である。
【図３】カリキュラムデータテーブルを示す模式図である。
【図４】ポーズデータテーブル群を示す模式図である。
【図５】ポーズデータテーブルを示す模式図である。
【図６】本実施の形態の処理手順を示すフローチャートである。
【図７】ネームエントリーにおける表示遷移図である。
【図８】カウンセリング処理の詳細を示すフローチャートである。
【図９】カウンセリング処理時の表示遷移図である。
【図１０】レッスン処理の詳細を示すフローチャートである。
【図１１】レッスン処理時の表示画面例を示す図である。
【発明を実施するための最良の形態】
【００１３】
以下、本発明の一実施の形態について図面を参照して説明する。図１は、本発明の一実施の形態における教習装置１００の構成の例を示すブロック図である。教習装置１００は、携帯可能な装置本体１０を備え、各部はこの装置本体１０に実装されている。
【００１４】
装置本体１０の表面部には、表示装置５０と操作入力部２１とが設けられている。表示装置５０は、複数の画像表示部である上方画像表示部５１及び下方画像表示部５２を有している。操作入力部２１は、電源スイッチ、十字キーや他のキー等のスイッチ及びキーで構成されている。
【００１５】
装置本体１０内に配設された回路には、制御部１１と、ＲＡＭ１２と、ハードディスクドライブ（ＨＤＤ）１３と、サウンド処理部１４と、グラフィック処理部１５と、通信インターフェイス１７と、インターフェイス部１８と、フレームメモリ１９と、カードスロット２０とを含む。制御部１１、ＲＡＭ１２、ハードディスクドライブ（ＨＤＤ）１３、サウンド処理部１４、グラフィック処理部１５、通信インターフェイス１７、及びインターフェイス部１８は、それぞれ内部バス２２に接続されている。
【００１６】
制御部１１は、ＣＰＵやＲＯＭ等を含み、ＨＤＤ１３や記録媒体７０に格納された制御プログラムに従って教習装置１００全体の制御を行う。この制御部１１は、例えばタイマ割り込みを発生させるため等に用いられる内部タイマを備えている。ＲＡＭ１２は、制御部１１のワークエリアとしても用いられる。
【００１７】
サウンド処理部１４は、サウンド信号のＤ／Ａ変換及びＡ／Ｄ変換を行う音声入出力インターフェイスの機能を備え、例えばスピーカによって構成されるサウンド出力装置３０に接続される。サウンド処理部１４は、各種の制御プログラムに従って処理を実行している制御部１１からのサウンド出力指示に従って、サウンド出力装置３０に対してサウンド信号を出力する。
【００１８】
グラフィック処理部１５は、前記上方画像表示部５１及び下方画像表示部５２を有する表示装置５０に接続される。グラフィック処理部１５は、制御部１１からの描画命令に従って、フレームメモリ１９に画像を展開するとともに、上方及び下方画像表示部５２，５２に画像を表示させるためのビデオ信号を表示装置５０に対して出力する。ビデオ信号によって表示される画像の切替時間は、例えば、１フレームあたり１／３０秒とされる。
【００１９】
カードスロット２０には、プログラム等が格納された記録媒体７０が装着される。記録媒体７０は、本実施の形態においては書き込みが可能なフラッシュメモリ等の半導体メモリである。通信インターフェイス１７は、他の教習装置１００と無線あるいは有線によって接続可能であるとともに、インターネット等の通信ネットワークに無線あるいは有線によって接続可能である。教習装置本体１０は、通信インターフェイス１７における通信機能を用いて、他の教習装置１００と通信を行うことが可能である。
【００２０】
インターフェイス部１８には、操作入力部２１と、カードスロット２０と、タッチパネル４０とが接続される。インターフェイス部１８は、プレイヤ（ユーザ）による操作に基づく操作入力部２１からの指示データと、プレイヤによるタッチペン４１等を用いたタッチパネル４０の操作にもとづく指示データをＲＡＭ１２に格納する。すると、ＲＡＭ１２に格納された指示データに従って、制御部１１が各種の演算処理を実行する。
【００２１】
なお、タッチパネル４０は、上方及び下方画像表示部５２，５２の両方、若しくは少なくともいずれかの表示画面側に積層されている。したがって、上方及び下方画像表示部５２，５２のうちのタッチパネル４０が積層された側における表示タイミングと、タッチパネル４０に対するタッチペン４１等を用いた操作タイミング及びその位置座標とを管理制御することによって、制御部１１がプレイヤの入力操作による操作入力に応じて入力情報を認識する。なお、表示装置５０は、上方及び下方画像表示部５２，５２のように複数の画像表示部を有するものではなく、一つの画像表示部により表示画面を構成するものであってもよい。
【００２２】
また、インターフェイス部１８は、制御部１１からの指示に従って、ＲＡＭ１２に記憶されているレッスンの進行状況を示すデータをカードスロット２０に装着されている記録媒体７０に格納する処理や、記録媒体７０に保存されている中断時のレッスンのデータを読み出してＲＡＭ１２に転送する処理等を行う。
【００２３】
教習装置１００でレッスンを行うための制御プログラム等の各種のデータは、記録媒体７０に記憶されている。記録媒体７０に記憶されている制御プログラム等の各種のデータは、記録媒体７０が装着されているカードスロット２０を介して制御部１１により読み出され、ＲＡＭ１２にロードされる。
【００２４】
制御部１１は、ＲＡＭ１２にロードされた制御プログラムに従って、グラフィック処理部１５に対して描画命令を出力する処理や、サウンド処理部１４に対してサウンド出力の指示を出力する処理等の各種の処理を実行する。なお、制御部１１が処理を実行している間は、ワークメモリとして用いられるＲＡＭ１２に、レッスンの進行状況によって中間的に発生するデータが保存される。
【００２５】
前記記録媒体７０には、後述するフローチャートに示す処理を実行するためのプログラムとともに、図２に示すカウンセリングデータテーブル７１、図３に示すカリキュラムデータテーブル７２、図４に示すポーズデータテーブル群７３が記憶されている。
【００２６】
前記カウンセリングデータテーブル７１には、図２に示すように、「質問１」及び「質問２」等の各質問に対応して複数の異なる質問文１−１、１−２、・・・が記憶されている。これら各質問文の内容は、例えば「周囲の人に見られていると、常に意識していますか？」等の個人の性格や心理状態等に関する文を構成する文字列を前記表示装置５０に表示させ得るデータである。
【００２７】
前記カリキュラムデータテーブル７２には、図３に示すように、「ストレス解消コース」、「○○○○コース」等のレッスンコースに対応して、カリキュラムが記憶されている。例えば、「ストレス解消コース」の場合、レッスン１では「ポーズ１」の教習を行い、レッスン２では「ポーズ３」の教習を行い、レッスン３では「ポーズ６」の教習を行うことを意味する。このように、コースに応じて異なるポーズが異なる順序で記憶されている。
なお、レッスンの数は、各コース同一でもよいし、コースに応じて異なっても良い。
【００２８】
前記ポーズデータテーブル群７３は、前記Ｎ種類のヨガポーズに対応するポーズ１〜Ｎデータテーブル７４−１〜Ｎで構成されている。つまり、ヨガには、複数種のポーズがあり、これら複数種のヨガのポーズのうち、基本的なポーズとされるＮ種類（例えば、１００種類）の基本的ポーズ１〜Ｎに対応するポーズ１〜Ｎデータテーブル７４−１〜Ｎで構成されているのである。
【００２９】
各ポーズデータテーブル７４には、図５に示すように、「基本ポーズ」データと複数の簡易ポーズデータ「簡易ポーズ１」、「簡易ポーズ１」・・・とが記憶されている。「基本ポーズ」データは、Ｎ種類のヨガポーズ１〜Ｎのいずれかに対応する基本ポーズ用のデータである。また、「簡易ポーズ１」、「簡易ポーズ１」・・・、当該「基本ポーズ」よりも難易度が低いが、ヨガにおける効果や目的において「基本ポーズ」と同一性や共通性を有する簡易なポーズに関するデータである。
【００３０】
また、各「基本ポーズ」「簡易ポーズ１」、「簡易ポーズ１」・・・データは、「画像データ」、「音声データ」、「呼吸タイミングデータ」、「難易度データ」で構成されている。「画像データ」は、インストラクターによる当該ポーズ及び当該ポーズに至る動作を実写し、前記表示装置５０に表示可能なデータで記録したものである。したがって、「画像データ」は動画データであるが、静止画データであってもよいし、動画データと静止画データとを組み合わせたものであってもよい。また、画像データは実写以外にもイラストやコンピュータグラフィックスを用いて作成されたものであってもよい。
【００３１】
「音声データ」は対応する「画像データ」と共に再生される解説音声、指導音声等をサウンド出力装置３０による再生可能なデータで記録したものである。「呼吸タイミングデータ」は、対応する「画像データ」による画像における呼吸のタイミング、より詳しくは「吸う」から「吐く」までのタイミングを連続的に前記表示装置５０に表示可能なデータで記録したものである。「難易度データ」は、当該ポーズの難易度を表す数値であって、本実施の形態においては難易度が高いほど、大きな数値が記憶されている。
【００３２】
なお、記録媒体７０は、前述のように書き込みが可能であって、複数の書き込み可能なフォルダが設けられている。
【００３３】
次に、本実施の形態における処理手順について、図６以降に示すフローチャートに説明する。なお、以下に示す処理は、記録媒体７０に記憶されたレッスンプログラムに基づき、制御部１１が教習装置内の他の構成要素を制御することで実行される処理である。
【００３４】
図６のフローチャートに示すように、先ずスタートメニューを表示する（ステップＳ１）。このスタートメニューにおいては、図示しないがプレイヤの名前が付されたフォルダ一覧が表示されるので、プレイヤはこのフォルダ一覧を見て、自分の名前のフォルダがあるか否かを確認する。この確認の結果、自分の名前のフォルダがない場合には、同時に表示されている「新しくフォルダを作成する」をペンタッチする。すると、ステップＳ２の判断がＮＯとなって、ステップＳ２からステップＳ３に進み新規フォルダの作成を開始する。
【００３５】
この新規フォルダの作成に際しては、先ず空いているフォルダがあるか否かを判断し（ステップＳ４）、ある場合にはステップＳ７に進んで名前の入力処理を実行する。また、空いているフォルダがない場合には、ペンタッチに応じて削除するフォルダを指定する（ステップＳ５）。そして、この指定したフォルダ内のデータをクリアしてから（ステップＳ６）、ステップＳ７に進んで名前の入力処理を実行する。
【００３６】
この名前の入力処理（ステップＳ７）においては、図７（Ａ）に示すように、表示装置５０の下方画像表示部５２に「名前入力」ボタン５３を表示するとともに、上方画像表示部５１に文字「ネームエントリー」５４と、案内文５５とを表示する。この（Ａ）の表示状態から、「名前入力」ボタン５３がペンタッチされると、同図（Ｂ）の表示状態に遷移する。そして、下方画像表示部５２にキーボード５６と「決定」ボタン５７とを表示するとともに、上方画像表示部５１に、文字表示升５８と案内文５９とを表示する。
【００３７】
この表示状態（Ｂ）において、キーボード５６のキーがペンタッチされると、タッチされた文字を文字表示升５８に表示し、「決定」ボタン５７がペンタッチされると、同図（Ｃ）の表示状態に遷移する。そして、下方画像表示部５２に「いいえ訂正します」ボタン６０と、「はい」ボタン６１とを表示するとともに、上方画像表示部５１に入力された名前『「○○」さん』を含む案内文６２を表示する。この表示状態（Ｃ）において、「いいえ訂正します」ボタン６０がペンタッチされた場合には、（Ｂ）の表示状態に戻り、「はい」ボタン６１がペンタッチされた場合には、名前を確定する。
【００３８】
そして、この確定した名前を新規フォルダに付して、名前の入力処理（ステップＳ７）
を終了する。
【００３９】
引き続き、カウンセリング処理を実行する（ステップＳ８）。図８は、このカウンセリング処理の処理手順を示すフローチャートである。先ず、下方画像表示部５２と上方画像表示部５１とに各々初期画面を表示させる（ステップＳ１０１）。この初期画面は、図９（Ａ）に示すように、下方画像表示部５２には「カウンセリング開始」ボタン６３を表示させ、上方画像表示部５１には「カウンセリング」６４と案内文６５とを表示させたものである。
【００４０】
次に、「カウンセリング開始」ボタン６３がペンタッチされたか否かを判断し（ステップＳ１０２）、ペンタッチされたならば、下方画像表示部５２に第１選択画面を表示させ、上方画像表示部５１に前記カウンセリングデータテーブル７１の「質問１」から読み出したいずれかの質問文を表示させる（ステップＳ１０３）。このステップＳ１０３での処理により、図９（Ｂ）に示すように、下方画像表示部５２には「ＹＥＳ」ボタン９４と「ＮＯ」ボタン９５等が表示されるとともに、上方画像表示部５１には、質問文６６が表示される。
【００４１】
この質問文６６を見たプレイヤが「ＹＥＳ」ボタン９４と「ＮＯ」ボタン９５のいずれかをペンタッチするとステップＳ１０４の判断がＹＥＳとなり、ステップＳ１０４からステップＳ１０５に進む。そして、下方画像表示部５２に第２選択画面を表示させるとともに、上方画像表示部５１に前記カウンセリングデータテーブル７１の「質問２」から読み出したいずれかの質問文を表示させる（ステップＳ１０５）。このステップＳ１０５での処理により、図９（Ｃ）に示すように、下方画像表示部５２には「ＹＥＳ」ボタン９４と「ＮＯ」ボタン９５等が表示されるとともに、上方画像表示部５１には、質問文６６が表示される。
【００４２】
この質問文６６を見たプレイヤが「ＹＥＳ」ボタン９４と「ＮＯ」ボタン９５のいずれかをペンタッチするとステップＳ１０６の判断がＹＥＳとなり、ステップＳ１０６からステップＳ１０７に進む。そして、下方画像表示部５２に前記カリキュラムデータテーブル７２から読み出したいずれかのコースを表示させるとともに、上方画像表示部５１に、前記カウンセリングデータテーブル７１の「結論」読み出したいずれかの結論文を表示させる（ステップＳ１０７）。このステップＳ１０７での処理により、図９（Ｄ）に示すように、下方画像表示部５２には「次へ」ボタン６８とコース名６７（「ストレス解消コース」）が表示されるとともに、上方画像表示部５１には、結論文６９が表示される。
【００４３】
したがって、図６のステップＳ８でカウンセリング処理が実行されると、コース名が決定されることから、次のステップＳ９で決定されたコースに応じたカリキュラムが決定されることとなる。したがって、ステップＳ９からステップＳ１０に進み、前記ステップＳ３〜Ｓ７の処理により作成された新規フォルダをマイフォルダとして選択する（ステップＳ１０）。
【００４４】
他方、前記スタートメニューにおいては、プレイヤの名前が付されたフォルダ一覧に当該プレイヤの名前のフォルダがある場合には、ステップＳ２からステップＳ１０に進み、ペンタッチされたフォルダをマイフォルダとして選択する（ステップＳ１０）。次に、このマイフォルダに記憶されているレッスンデータを読み出す（ステップＳ１１）。このレッスンデータは、当該プレイヤに選択されているコースにおいて前回までに完了したレッスンナンバー（レッスン１、レッスン２・・・等）、あるいは前回途中のレッスンナンバー等である。
【００４５】
なお、マイフォルダが新規フォルダである場合には、マイフォルダにはレッスンデータが記憶されていないことから、ステップＳ１１の処理を実行することなくステップＳ１２に進む。
【００４６】
次に、レッスンを開始して（ステップＳ１２）、レッスン処理を実行する（ステップＳ１３）。図１０は、レッスン処理（ステップＳ１３）の処理手順を示すフローチャートである。まず、前記レッスンデータに基づき、上方画像表示部５１には基本実写画像を表示させ、下方画像表示部５２には呼吸タイミングを表示させるとともに、サウンド出力装置３０にて音声を再生する（ステップＳ１０１）。
【００４７】
つまり、当該プレイヤが既にマイフォルダにレッスンデータが記憶されている者である場合には、マイフォルダの記憶されているコースの前回終了時のレッスンナンバーに対応するポーズデータテーブル７４をポーズデータテーブル群７３から読み出す。また、マイフォルダにレッスンデータが記憶されていない者である場合には、前記決定されたコースにおける「レッスン１」のポーズに対応するポーズデータテーブル７４をポーズデータテーブル群７３から読み出す。
【００４８】
そして、この読み出したポーズデータテーブル７４から、前記「基本実写画像」データを読み出して、上方画像表示部５１に再生表示する。これにより、図１１に示すように、上方画像表示部５１には、当該レッスンに対応するヨガポーズを行うインストラクター画像（実写動画）８０が表示されることとなる。
【００４９】
このとき、教習装置１００は携帯型であることから、プレイヤはどのようなポーズを取る場合であっても、常に画面を見ながらポーズが取れる位置に教習装置１００を手で持って移動させ、上方画像表示部５１を見ながらレッスンを行うことができる。したがって、レッスン中のポーズを崩して上方画像表示部５１を確認する必要がなく、スムーズにレッスンを行うことができる。
【００５０】
しかも、サウンド出力装置３０からは、解説音声、指導音声も出力されることから、一層スムーズにレッスンを行うことができる。
【００５１】
また、前記読み出したポーズデータテーブル７４から、対応する前記「呼吸タイミング」データを読み出して、下方画像表示部５２に画像表示する。この画像表示は、例えば図１１に示すように、「吐く」の文字とこれを取り囲む円からなる呼吸模式画像８１を表示させ、この呼吸模式画像８１の円を前記「呼吸タイミング」データに基づき、インストラクター画像８０の吐く動作に同期させて、吸うタイミングとなるまで順次小さく変化させていく。吸うタイミングとなったならば、呼吸模式画像８１における「吐く」の文字を「吸う」に変化させ、呼吸模式画像８１の円を前記「呼吸タイミング」データに基づき、インストラクター画像８０の吸う動作に同期させて、吐くタイミングとなるまで順次大きく変化させていく。再度吐くタイミングとなったならば、呼吸模式画像８１における「吸う」の文字を「吐く」に変化させ、前述と同様に、呼吸模式画像８１の円を前記「呼吸タイミング」データに基づき、インストラクター画像８０の吐く動作に同期させて、吸うタイミングとなるまで順次小さく変化させ、これを繰り返す。
【００５２】
したがって、プレイヤはこの呼吸模式画像８１の変化を見ることにより、レッスン中における呼吸のタイミングを認識することができ、正しい呼吸を伴うレッスンを行うことができる。
【００５３】
なお、ステップＳ２０１の処理に際しては、図１１に示すように、下方画像表示部５２に、「レッスン終了」ボタン８２、「簡易ポーズ」ボタン８３、「戻る」ボタン８４、「難易度ダウン」ボタン８５と「難易度アップ」ボタン８６を表示する。また、呼吸タイミングの表示は前述した表示形態に限らず、吸うタイミングから吐くタイミング、吐くタイミングから吸うタイミングまでが目視により認識でいれば如何なる表示形態であってもよい。
【００５４】
そして、ステップＳ２０１に続くステップＳ２０２においては、当該レッスンが終了したか否か、つまりポーズデータテーブル７４から、「基本実写画像」データの読み出し及び表示を完了して、当該ナンバーのレッスンが終了したか否かを判断する。レッスンが終了していなければ、「簡易ポーズ」ボタン８５がペンタッチされたか否かを判断し（ステップＳ２０４）、ペンタッチされない場合には、ステップＳ２０１に戻る。
【００５５】
また、ステップＳ２０２での判断の結果、当該レッスンが終了した場合には、当該コースにおける次のレッスンのポーズに対応するポーズデータテーブル７４をポーズデータテーブル群７３から読み出す（ステップＳ２０３）。そして、前述したステップＳ２０１からの処理を繰り返す。
【００５６】
したがって、プレイヤが柔軟な身体であって基本ポーズの動作を行うことができる者である場合には、「簡易ポーズ」ボタン８５がペンタッチすることなく、ヨガレッスンを行うことにより、順次進行するレッスンのヨガポーズを行うインストラクター画像８０を上方画像表示部５１で見ながら、当該コースに含まれているヨガポーズを順次会得することができる。
【００５７】
しかし、ヨガポーズを行うインストラクター画像８０と同様のポーズを行うことが困難である場合には、プレイヤはタッチペン４１もしくは指で「簡易ポーズ」ボタン８３をタッチする。すると、ステップＳ２０４の判断がＹＥＳとなり、ステップＳ２０４からステップＳ２０５に進む。そして、現在上方画像表示部５１に表示されてレッスン中の基本ポーズに対応する簡易ポーズデータを読み出す（ステップＳ２０５）。つまり、前記ステップＳ１１又はステップＳ２０３で現在読み出されているポーズデータテーブル７４から、前記「簡易ポーズ１」「簡易ポーズ２」・・・のいずれかを読み出す。このとき、読み出す順序は、「簡易ポーズ１」「簡易ポーズ２」・・・の記憶順序に従って「簡易ポーズ１」を読み出してもよいし、難易度に従って最も難易度が高いもの、最も難易度が低いもの、あるいは難易度が中間であるものであってもよい。
【００５８】
次に、読み出した簡易ポーズデータに基づき、上方画像表示部５１には簡易実写画像を表示させ、下方画像表示部５２には呼吸タイミングを表示させるとともに、サウンド出力装置３０にて音声を再生する（ステップＳ２０６）。つまり、ステップＳ２０５で図５の「簡易ポーズ１」データが読み出されたとすると、「簡易１実写画像」データに基づく画像を上方画像表示部５１に再生表示し、「簡易１呼吸タイミング」データに基づく呼吸タイミングを下方画像表示部５２に表示するとともに、「簡易１音声」データに基づく音声をサウンド出力装置３０から放音させる。
【００５９】
引き続き、簡易ポーズデータの再生を終了したか否か、つまりポーズデータテーブル７４から、「簡易１実写画像」データの読み出し及び表示を完了して、当該簡易ポーズの表示が終了したか否かを判断する（ステップＳ２０７）。当該簡易ポーズの表示が終了した場合には、次の簡易ポーズデータを読み出して（ステップＳ２０８）、ステップＳ２０６からの処理を繰り返す。
【００６０】
また、簡易ポーズの表示が終了していなければ（ステップＳ２０７；ＮＯ）、「難易度ダウン」ボタン８５又は「難易度アップ」ボタン８６に対するペンタッチによる、難易度変更の指示があったか否かを判断する（ステップＳ２０９）。
【００６１】
このとき、プレイヤが上方画像表示部５１に表示されているインストラクターの簡易ポーズを行うことが困難であると思った場合には、「難易度ダウン」ボタン８５をペンタッチし、逆に表示されているインストラクターの簡易ポーズでは易しすぎると思った場合には、「難易度アップ」ボタン８５をペンタッチする。すると、ステップＳ２０９の判断がＹＥＳとなる。したがって、ステップＳ２０９からステップＳ２０８に進み、次に難易度が低い又は高い簡易ポーズデータが読み出されて、前述したステップＳ２０６からの処理が実行される。
【００６２】
したがって、プレイヤは身体の柔軟性や筋力に応じた難易度の簡易ポーズを選択して練習を行うことができる。しかも、前述のように全ての簡易ポーズは、対応する基本ポーズよりも難易度は低いポーズであることから、身体の柔軟性が低いもしくは筋力の低いプレイヤであっても、ポーズを取ることが可能である。よって、プレイヤを途中で挫折させてしまうことなく、継続してレッスンさせることができる。
【００６３】
他方、ステップＳ２０９での判断の結果、難易度の変更指示がない場合には、「戻る」ボタン８４に対するペンタッチによる基本ポーズに戻るが指示されたか否かを判断する（ステップＳ２１０）。基本ポーズに戻るが指示された場合には、このステップＳ２１０から前述したステップＳ２０１に戻る。したがって、複数の簡易ポーズを練習することにより、基本ポーズに対する自信を得た場合には、「戻る」ボタン８４をペンタッチすることにより、基本ポーズの練習を再開することができる。
【００６４】
また、ステップＳ２１０での判断の結果、「戻る」ボタン８４をペンタッチされなかった場合には、キー操作による終了指示があったか判断する（ステップＳ２１１）。終了指示がない場合には、ステップＳ２０６に戻り、終了指示が合った時点で図６に示したメインフローにリターンして、ステップＳ１４に進む。
【００６５】
そして、図６のフローチャートにおけるステップＳ１４においてレッスンを終了し、次のステップＳ１５において、レッスンデータの更新・保存処理を実行する。このレッスンデータの更新・保存処理に際しては、マイフォルダに当該プレイヤのレッスンコースにおいて今回までに完了したレッスンナンバー（レッスン１、レッスン２・・・等）、あるいは今回途中のレッスンナンバーを書き込んで、レッスンデータを更新する。これにより、後日ヨガレッスンを再開した際には、前述のように前回の終了時点からのレッスンを行うことが可能となる。
【００６６】
なお、本実施の形態においては、簡易ポーズの難易度を選択できるようにしたが、難易度を選択させることなく、順次「簡易ポーズ１」、「簡易ポーズ２」・・・を表示させるようにしてもよい。この場合であっても、簡易ポーズは基本ポーズよりも難易度は低いことから、身体の柔軟性が低いプレイヤであっても、ポーズを取ることが可能であり、プレイヤを途中で挫折させてしまうようなことない。
【００６７】
また、本実施の形態においては、呼吸タイミングを画面に表示するようにしたが、表示によることなく音により呼吸タイミングを報知するようにしてもよい。このように、音により呼吸タイミングを報知すれば、プレイヤは画面の視認を強いられることなく、呼吸タイミングを知ることができる。
【００６８】
また、本実施の形態においては、レッスンコースをカウンセリングによって間接的に決定するようにしたが、プレイヤの選択操作により直接的に決定するようにしてもよい。
【００６９】
さらに、本実施の形態においてはタッチペン４１によるタッチによりプレイヤの意思を入力するようにしたが、音声認識機能を搭載し、音声認識によりプレイヤの意思が入力されようにしてもよい。このように音声認識機能を搭載すれば、ポーズを取っている最中にタッチペン４１を持つ必要がなく、教習装置１００手や指を使ったポーズを取る際もポーズを崩さずに教習装置１００を操作し、練習を継続することができる。
【００７０】
また、本実施の形態においては、本発明をヨガに適用した場合を示したが、ストレッチ体操等の身体的ポーズを伴う他の運動や遊技に適用することもできる。
【００７１】
また、実施の形態においては、教習装置１００を例に説明したが、画像生成機能を備えた機器であれば、パーソナルコンピュータ、携帯電話端末等の各種の携帯可能な機器に本発明を適用することができる。
【００７２】
また、教習装置本体１０に上述した各種の処理を実行させるためのレッスン用データ（レッスンに用いられる制御プログラム等の各種のデータ）が記録媒体７０に格納されているものとしていたが、レッスン用データは、ＷＷＷサーバ等のサーバ装置によって配信されるものであってもよい。この場合、教習装置本体１０は、サーバ装置によって配信されるレッスン用データを通信ネットワークを介して取得してＨＤＤ１３に格納し、レッスン用データをＨＤＤ１３からＲＡＭ１２にロードして使用するようにすればよい。
【産業上の利用可能性】
【００７３】
教習装置を手で簡単に移動させることで、常に表示手段を見ながらレッスンを行うことができることから、レッスン中のポーズを崩して表示手段を確認する必要がなく、スムーズにレッスンを行うことができる教習装置を提供可能となる。
【符号の説明】
【００７４】
１０   
教習装置本体
１１   
制御部
１２   
ＲＡＭ
１３   
ＨＤＤ
１４   
サウンド処理部
１５   
グラフィック処理部
１７   
通信インターフェイス
１８   
インターフェイス部
１９   
フレームメモリ
２０   
カードスロット
２１   
操作入力部
２２   
内部バス
３０   
サウンド出力装置
４０   
タッチパネル
４１    タッチペン
５０    表示装置
５１    上方画像表示部
５２   
下方画像表示部
７０   
記録媒体
７１   
カウンセリングデータテーブル
７２   
カリキュラムデータテーブル
７３   
ポーズデータテーブル群
７４   
ポーズデータテーブル
８０   
インストラクター画像
８１   
呼吸模式画像
１００   
教習装置
【図１】
0005436061.tif 000002
【図２】
0005436061.tif 000003
【図３】
0005436061.tif 000004
【図４】
0005436061.tif 000005
【図５】
0005436061.tif 000006
【図６】
0005436061.tif 000007
【図７】
0005436061.tif 000008
【図８】
0005436061.tif 000009
【図９】
0005436061.tif 000010
【図１０】
0005436061.tif 000011
【図１１】
0005436061.tif 000012